(57)【要約】【課題】本発明は、滑り止め部材の変形による浮上りや外れがない安全性の高い乗客コンベアを提供することにある。【解決手段】本発明は、乗降床５の乗客歩行部に凹部８を形成し、シート状滑り止め部材９を前記凹部８内に接着剤１０を介して固定したのである。  このように、シート状滑り止め部材９を接着剤１０によって乗降床５上に固定することで、長期使用時においてもシート状滑り止め部材９が浮上ったり外れたりすることをなくすことができる。【選択図】図２
2010184789.tif 000002
【特許請求の範囲】
【請求項１】
循環移動する無端状に連結された複数の踏板と、これら踏板の移動方向両端部に設置された乗降床とを備えた乗客コンベアにおいて、前記乗降床の乗客歩行部に凹部を形成し、シート状滑り止め部材を前記凹部内に接着剤を介して固定したことを特徴とする乗客コンベア。
【請求項２】
前記凹部は、前記乗客歩行部の全幅に亘って一つ形成されており、この凹部内に一枚のシート状滑り止め部材を固定したことを特徴とする請求項１記載の乗客コンベア。
【請求項３】
前記凹部は、前記乗客歩行部の全幅に亘って一つ形成されていると共に、乗降方向に複数設けられており、これら凹部内に夫々一枚のシート状滑り止め部材を固定したことを特徴とする請求項１記載の乗客コンベア。
【請求項４】
前記シート状滑り止め部材は、予め裏面に接着剤が塗布されているシート状滑り止め部材であることを特徴とする請求項１，２又は３記載の乗客コンベア。
【請求項５】
前記シート状滑り止め部材は、表面に情報表示がなされていることを特徴とする請求項１，２，３又は４記載の乗客コンベア。
【請求項６】
循環移動する無端状に連結された複数の踏板と、これら踏板の移動方向両端部に設置され表面に凹凸模様が形成された乗降床とを備えた乗客コンベアにおいて、前記乗降床を階床側床板と踏板側床板とに形成し、階床側床板の乗客歩行部に亘って一つの凹部を形成し、この凹部内にシート状滑り止め部材を接着剤を介して固定し、このシート状滑り止め部材の厚さを前記凹凸模様の頂部と略同じ高さ寸法とすると共に表面にシート状滑り止め部材の表面に情報表示を施したことを特徴とする乗客コンベア。
【発明の詳細な説明】
【技術分野】
【０００１】
本発明は傾斜区間で隣接踏板間に段差が生じるエスカレーターや傾斜区間において隣接踏板間に段差が生じない電動道路などの乗客コンベアに係り、特に、乗降口における乗降客の安全を考慮した乗客コンベアに関する。
【背景技術】
【０００２】
乗降口における乗降客の安全を考慮した乗客コンベアは、例えば特許文献１に記載されているように、既に提案されている。
【０００３】
この特許文献１に記載されている乗客コンベアは、金属製の乗降床に凹部を形成し、この凹部内に滑り止め体を載置するものである。
【先行技術文献】
【特許文献】
【０００４】
【特許文献１】特開平９−３２３８８０号公報
【発明の概要】
【発明が解決しようとする課題】
【０００５】
上記特許文献１に記載の乗客コンベアにおいては、滑り止め体によって、乗客の乗降時の滑りを防止して転倒事故を未然に防止することができる。
【０００６】
しかしながら、金属製の乗降床上に滑り止め体が載置されているだけなので、長期使用の間に滑り止め体が変形したりすると、金属製乗降床の凹部から滑り止め体が突出して浮上り、乗客がそれに躓いて転倒する危険性がある。また、真空掃除機で乗降床表面の汚泥等を清掃中に、滑り止め体が凹部から外れたりする問題がある。
【０００７】
本発明の目的は、滑り止め部材の変形による浮上りや外れがない安全性の高い乗客コンベアを提供することにある。
【課題を解決するための手段】
【０００８】
本発明は上記目的を達成するために、乗降床の乗客歩行部に凹部を形成し、シート状滑り止め部材を前記凹部内に接着剤を介して固定したのである。
【０００９】
このように、シート状滑り止め部材を接着剤によって乗降床上に固定することで、長期使用時においてもシート状滑り止め部材が浮上ったり外れたりすることをなくすことができる。
【発明の効果】
【００１０】
以上説明したように本発明によれば、滑り止め部材の変形による浮上りや外れがない安全性の高い乗客コンベアを得ることができる。
【図面の簡単な説明】
【００１１】
【図１】本発明による乗客コンベアに一実施の形態であるエスカレーターの乗降部を示す平面図。
【図２】図１のＡ−Ａ線に沿う拡大断面図。
【図３】図２のＢ−Ｂ線に沿う拡大図。
【発明を実施するための形態】
【００１２】
以下本発明による乗客コンベアの一実施の形態を、図１〜図３に示すエスカレーターに基づいて説明する。
【００１３】
エスカレーター１は、無端状に連結されて循環移動する複数の踏板２と、これら踏板２の幅方向両側で移動方向に沿って固定部材に立設された欄干３と、この欄干３の周縁に案内されて循環移動する移動手摺４と、前記踏段２の移動方向の両端部に設置された乗降床５と、この乗降床５の踏板２側端部に取付けられ前記踏板２のクリート（図示せず）と非接触で噛合う櫛板６とを備えている。尚、前記踏段２のクリートは、前記踏板２の進行方向に沿って長く形成されていると共に踏段２の幅方向に複数平行に形成されている。
【００１４】
前記乗降床５は、階床側踏板５Ａと踏板側床板５Ｂとに分割されて形成されており、いずれも金属薄板により形成されている。そして、階床側踏板５Ａと踏板側床板５Ｂは、その表面にプレス加工等により滑り止めのための凹凸模様７が形成されている。
【００１５】
この凹凸模様７によって、通常は乗客が乗降床５上で滑ることは防止できるが、雨天時に凹凸模様７の凸部表面が濡れると、滑り易くなることがあり、また、冬季時に積雪があると、凹凸模様７の凹部に雪が詰まって凹凸模様７が平面状になって滑り易くなることがある。
【００１６】
そこで、本実施の形態においては、乗降床５の階床側踏板５Ａの乗客歩行部に亘って一つの凹部８を形成し、この凹部８内に一枚のシート状滑り止め部材９を接着剤１０によって固定したのである。
【００１７】
シート状滑り止め部材９としては、例えば、合成樹脂繊維などによる不織布や、このような不織布にゴム系樹脂を含浸させたものなどで形成されるものである。
【００１８】
ところで、階床側踏板５Ａの乗客歩行部とは、左右の欄干３の内側寸法Ｗよりもやや狭い乗客が通行可能な範囲であり、この範囲に亘って一つの凹部８を形成してシート状滑り止め部材９を固定している。
【００１９】
そして、シート状滑り止め部材９は、望ましくは前記凹凸模様７の頂部高さと略面一となる厚さを有する。しかしながら、シート状滑り止め部材９の材質によっては長期使用中に乗客の歩行により圧縮されて薄くなることが予想されるので、シート状滑り止め部材９の厚さを前記凹凸模様７の頂部高さ寸法より僅かに高くなる厚さに形成しても良く、また、エスカレーター１が設置される環境によっては、シート状滑り止め部材９の厚さを前記凹凸模様７の頂部高さ寸法より僅かに低くなる厚さに形成しても良い。
【００２０】
尚、シート状滑り止め部材９を階床に面一に連なる階床側踏板５Ａにのみ貼付したのは、乗客の階床から階床側踏板５Ａへの移動又は階床側踏板５Ａから階床への移動を円滑に行うためであり、これら階床−階床側踏板５Ａ間の移動時に滑り事故の発生する確率が高いからである。したがって、少なくとも階床側踏板５Ａにシート状滑り止め部材９を貼付したのである。
【００２１】
このように、本実施の形態によれば、凹凸模様７の代わりにシート状滑り止め部材９を固定することで、晴天時は勿論のこと雨天時に雨水によって濡れても、シート状滑り止め部材９によって滑りずらくしているので、乗客の階床−階床側踏板５Ａ間への移動時における転倒を軽減させることができる。さらに、冬季時に積雪がある場所に設置されるエスカレーター１においては、シート状滑り止め部材９の色や材質を融雪に適したもの、例えば黒系統の色や材質とすることで、少なくともシート状滑り止め部材９の範囲は融雪されるので、積雪が固まって平面状になることで発生する乗客の滑りによる転倒を防止することができる。
【００２２】
このほか、本実施の形態によれば、シート状滑り止め部材９を凹部８内に接着剤１０によって固定することで、長期使用時に変形して浮上ることがなくなり、その結果、シート状滑り止め部材９の浮上りにより乗客が躓いて転倒することを防止することができる。
【００２３】
さらに、シート状滑り止め部材９の裏面に予め接着剤１０を塗布しておくことで、乗降床５への接着剤１０の塗布作業を省略することができ、シート状滑り止め部材９を固定するための作業性を向上させることができると共に、滑り止め部材９がシート状であるために、凹部８の任意の形状に合わせて切断加工して接着することが容易になる。
【００２４】
さらにまた、シート状滑り止め部材９に、注意喚起用の文字や方向表示、さらにはその階床の案内表示等の情報表示を、着色剤の吹き付けや塗布あるいは印刷などで施すことで、乗客を安全に乗降させることができる。
【００２５】
ところで、上記実施の形態は、床側踏板５Ａの乗客歩行部にのみシート状滑り止め部材９を固定した例を説明したが、踏板側床板５Ｂにも同様な手段によってシート状滑り止め部材９を固定してもよい。即ち、乗降床５の乗降方向にシート状滑り止め部材９を複数設けるとことで、安全性を高めるようにしてもよい。
【産業上の利用可能性】
【００２６】
さらに、以上の説明は乗客コンベアとしてエスカレーター１を説明したが、電動道路にも本発明が適用できるのは云うまでもない。
【符号の説明】
【００２７】
１…エスカレーター、２…踏板、３…欄干、４…移動手摺、５…乗降床、５Ａ…床側踏板、５Ｂ…踏板側床板、６…櫛板、７…凹凸模様、８…凹部、９…シート状滑り止め部材、１０…接着剤。
【図１】
2010184789.tif 000003
【図２】
2010184789.tif 000004
【図３】
2010184789.tif 000005